(57)【特許請求の範囲】
【請求項１】
撮像手段を介して供給された動画像データと、測位手段を介して検出された撮影場所の位置データとを第１の記録媒体に対して記録する第１記録手段と、
上記第１記録手段によって上記動画像データを上記第１の記録媒体に記録中、シャッタスイッチが押下操作されたとき、当該押下操作されたときのタイミングに相当する上記動画像データの構成要素である静止画像データと上記タイミングで得られる上記位置データとを着脱自在に設けられた第２の記録媒体に対して記録する第２記録手段と、
上記第１の記録媒体に記録された上記動画像データを再生する再生手段と
を具え、
上記第２記録手段は、上記再生手段による上記動画像データの再生中に、上記シャッタスイッチが押下操作されたとき、当該押下操作されたときのタイミングに相当する上記静止画像データと共に、上記タイミングで得られる上記位置データを上記第２の記録媒体に対して記録する
撮像装置。
【請求項２】
上記第２記録手段は、上記第１の記録媒体に対して上記位置データを記録するときは、上記動画像データのフレーム周波数に合わせて複数回分繰り返し記録する
請求項１に記載の撮像装置。
【請求項３】
上記第１記録手段は、上記動画像データに関する属性データとして上記撮像手段における撮像角度を、上記動画像データ及び上記位置データに加えて上記第１の記録媒体に対して記録し、
上記第２記録手段は、上記動画像データ、上記位置データ及び上記撮像角度を上記第２の記録媒体に記録する
請求項１に記載の撮像装置。
【請求項４】
撮像手段を介して供給された動画像データと、測位手段を介して検出された撮影場所の位置データとを第１の記録手段により第１の記録媒体に対して記録する第１の記録ステップと、
上記第１の記録ステップで上記動画像データを上記第１の記録媒体に記録中、シャッタスイッチが押下操作されたとき、第２の記録手段によって、当該押下操作されたときのタイミングに相当する上記動画像データの構成要素である静止画像データと上記タイミングで得られる上記位置データとを着脱自在に設けられた第２の記録媒体に対して記録する第２の記録ステップと、
上記第１の記録媒体に記録された上記動画像データを再生手段によって再生する再生ステップと
を有し、
上記第２の記録ステップでは、上記再生手段による上記動画像データの再生中に、上記シャッタスイッチが押下操作されたとき、当該押下操作されたときのタイミングに相当する上記静止画像データと共に、上記タイミングで得られる上記位置データを上記第２の記録媒体に対して記録する
撮像方法。
【発明の詳細な説明】
【０００１】
【発明の属する技術分野】
本発明は撮像装置及び撮像方法に関し、例えば映像を記録するビデオカメラに適用して好適なものである。
【０００２】
【従来の技術】
従来、ビデオカメラにおいては、撮影者がビューファインダを介して被写体を確認しながらビデオテープ等の記録媒体に画像を記録する。またビデオカメラにおいては、ビデオテープを再生することにより得られる画像データを伝送ケーブル等を介してモニタに出力することにより、当該モニタを介してビデオテープに記録した画像をユーザに確認させるようになされている。
【０００３】
また近年、内蔵したＧＰＳ受信機によって計測される日時等の属性情報や撮影場所の位置情報を、撮影した画像と共にビデオテープに記録するようになされたビデオカメラが提案されており、当該ビデオカメラによって記録された画像を再生したときに、再生した画像と共に位置情報や属性情報を表示することにより、撮影日時や撮影場所をユーザに対して認識させ得るようになされている。
【０００４】
【発明が解決しようとする課題】
ところでかかる構成のビデオカメラにおいては、ビデオテープに位置情報や属性情報を画像と共に記録することはできるが、実際にビデオテープを再生して見るまでは、そのビデオテープにどのような画像が記録されているのか、及びその画像が何時何処で撮影されたのかを知り得ず使い勝手が悪いという問題があった。
【０００５】
その際ビデオカメラにおいては、ビデオテープを再生して記録された画像をユーザに確認させるために、例えばＲＳ２３２Ｃケーブル等の伝送ケーブルを介してモニタに画像データを有線伝送しなければならず、操作が面倒で伝送処理に多大な時間を要すると共に、伝送中に伝送路上でデータ誤りが生じるという問題があった。
【０００６】
本発明は以上の点を考慮してなされたもので、記録媒体を再生することなく記録媒体に記録された画像や撮影場所等を短時間で容易に認識させ得る撮像装置及び撮像方法を提案しようとするものである。
【０００７】
【課題を解決するための手段】
かかる課題を解決するため本発明においては、撮像手段を介して供給された動画像データと、測位手段を介して検出された撮影場所の位置データとを第１の記録媒体に対して記録し、動画像データを第１の記録媒体に記録中、シャッタスイッチが押下操作されたとき、当該押下操作されたときのタイミングに相当する動画像データの構成要素である静止画像データとタイミングで得られる位置データとを着脱自在に設けられた第２の記録媒体に対して記録し、第１の記録媒体に記録された動画像データを再生する再生手段とを具え、第２記録手段は、再生手段による動画像データの再生中に、シャッタスイッチが押下操作されたとき、当該押下操作されたときのタイミングに相当する静止画像データと共に、タイミングで得られる位置データを第２の記録媒体に対して記録することにより、動画像の記録中にシャッタスイッチの押下操作が行なわれたときや、第１の記録媒体に記録された動画像の再生中、ユーザが希望するシーンで再度シャッタスイッチが押下操作されたときに、そのときの静止画像データ及び位置データを第２の記録媒体に記録することができるので、当該第２の記録媒体に記録された静止画像データを再生したとき、静止画像を動画像のインデックスとして用いることが出来ると共に、位置データに基づく動画像の撮影場所についても提供することができる。
【０００８】
【発明の実施の形態】
以下図面について、本発明の一実施の形態を詳述する。
【０００９】
図１において、１は全体として本発明を適用した撮像装置としてのカムコーダ（ビデオカメラとビデオテープレコーダを組み合わせて一体化したもの）を示し、本体部２と撮像手段としてのカメラ部３とによって構成されており、本体部２には測位手段としてのＧＰＳ(Global Positionig System)受信機４及び方位検出手段としてのジャイロセンサ５が内蔵されると共に、例えばメモリスティック（商標）のようなランダムアクセス可能な携帯型外部メモリ６が差込口７を介してで着脱自在に挿着されている。
【００１０】
この場合カムコーダ１は、搭載したバッテリ（図示せず）から供給される電力によって動作すると共に、内部に設けられた図示しない制御部であるＣＰＵ(Central Processing Unit) によって後述する各回路ブロックを統括的に制御するようになされている。
【００１１】
ＧＰＳ受信機４は、地上約２１０００[Km]の軌道を周回する複数個のＧＰＳ衛星から１秒毎にそれぞれ送信されている衛星信号をＧＰＳアンテナ（図示せず）を介して受信し、当該受信した衛星信号を解析することにより得られた航法メッセージに基づいて各ＧＰＳ衛星からの距離を算出することにより、リアルタイムで受信位置すなわち撮影場所の緯度、経度及び高度を位置データとして検出するようになされている。
【００１２】
ジャイロセンサ５は、例えば圧電振動ジャイロであり、カムコーダ１の動きに応じた回転角速度に基づいてカメラ部３の撮像方向及び撮像角度を撮像状態データとして検出するようになされている。
【００１３】
携帯型外部メモリ６は、薄型形状のプラスチックケース内に、電気的に書換可能な不揮発性メモリ（例えばＥＥＰＲＯＭ(Electrically Erasable Programmable Read Only Memory) ）の一種であるフラッシュメモリ素子を格納したもので、１０ピン端子を介して画像データや音声データ等の各種データの書き込み及び読み出しが可能なフラッシュメモリカードである。
【００１４】
実際上カムコーダ１は、図２に示すようにカメラ部３によって撮像された画像データＤ１を本体部２におけるビデオ信号処理部１０のビデオ回路１１に送出する。ビデオ回路１１は、画像データＤ１に対して所定のデータ形式に変換し、これを画像データＤ２として加算回路１２に送出する。
【００１５】
ＧＰＳ受信機４は、撮影場所の緯度、経度及び高度を示す１５０[Byte]の位置データＤ３を１秒毎に算出し、これを加算回路１２に送出する。ジャイロセンサ５は、カメラ部３の撮像方向及び撮像角度を常時検出しており、これを撮影状態データＤ４として加算回路１２に送出する。
【００１６】
またビデオ回路１１は、内部に設けられた計測手段としてのカウンタ回路（図示せず）により撮影時の日時（年月日、時刻）及びタイムコードをカウントすると共に、本体部２に装填されたビデオテープ１４のカセット筐体表面のＩＣ(Integrated Circuit)メモリ（図示せず）に記録された当該ビデオテープ１４固有の識別情報であるテープＩＤ(IDentifier)を読み出し、これらの日時、タイムコード及びテープＩＤ等を付加データＤ５として加算回路１２に送出する。
【００１７】
加算回路１２は、ビデオ回路１１から供給された画像データＤ２に対して、ＧＰＳ受信機４から供給された位置データＤ３を加算処理すると共に、ジャイロセンサ５から供給された撮影状態データＤ４及びビデオ回路１１から供給された付加データＤ５を属性データＤ６として加算処理することによりビデオ記録データＤ７を生成し、これを第１の記録手段としてのビデオ記録回路１３に送出する。
【００１８】
ビデオ記録回路１３は、ビデオ記録データＤ７を記録再生ヘッド（図示せず）を介して第１の記録媒体としてのビデオテープ１４にディジタル記録する。なおビデオ記録回路１３は、カメラ部３の近傍に設けられたマイクロフォン（図示せず）で集音した音声データについてもビデオ記録データＤ７と共にビデオテープ１４にディジタル記録するようになされている。
【００１９】
ここで、ビデオテープ１４にビデオ記録データＤ７をディジタル記録するときのテープトラックパターンとしては、図３に示すように各トラック毎に２個の画像データ記録領域と１個の音声データ記録領域が設けられると共に、トラック両端にブランク領域が設けられている。
【００２０】
すなわちビデオ記録回路１３は、ビデオ記録データＤ７のうち画像データＤ２を２個の画像データ記録領域に記録し、音声データを音声データ記録領域に記録すると共に、位置データＤ３及び属性データＤ６をトラック両端のブランク領域に記録するようになされている。
【００２１】
実際にカムコーダ１は、図４に示すように１フレーム分のビデオ記録データＤ７を複数トラックに跨がって記録すると共に、１５０[Byte]の位置データＤ３については１０フレーム分のトラックのブランク領域に分割記録するようになされている。
【００２２】
このカムコーダ１においては、フレーム周波数が３０[Hz]であるため、１秒間に３０フレーム分のビデオ記録データＤ７を記録するようになされているが、ＧＰＳ受信機４から供給される位置データＤ３は１秒間毎に更新されるので、同一の位置データＤ３を１０フレーム毎の３回に渡って記録する。
【００２３】
これによりカムコーダ１は、同一の位置データＤ３を３回記録することになるので、位置データＤ３の一つにエラーが発生していたとしても２つの位置データＤ３が残り、ビデオ記録データＤ７の再生時に位置データＤ３を確実に読み出し得ることを保証できる。
【００２４】
なおカムコーダ１は、各フレームのビデオ記録データＤ７に対応した属性データＤ６については、１フレームを形成している複数トラックのブランク領域に分割記録するようになされている。
【００２５】
またカムコーダ１は、第１の再生手段としてのビデオ再生回路１５を介してビデオテープ１４を再生することによりビデオ再生データＤ８を得、これをビデオ回路１１に送出する。
【００２６】
ビデオ回路１１は、ビデオ再生データＤ８をビューファインダでなる表示部１６に表示するため、例えばＮＴＳＣ(National Television System Committee)方式の輝度信号及び色差信号でなる表示画像信号Ｄ９に変換し、これを表示部１６に出力することにより、当該表示部１６に再生画像を表示するようになされている。
【００２７】
かかる構成に加えてカムコーダ１は、本体部２の表面に設けられたシャッタスイッチ８が押下されると、第２の記録手段としての外部メモリ記録再生回路１７に対して記録命令Ｓ１０が与えられる。
【００２８】
外部メモリ記録再生回路１７は、記録命令Ｓ１０に基づいてシャッタスイッチ８が押下されたタイミングの静止画に対応したビデオ記録データＤ７を加算回路１２から取り込み、当該ビデオ記録データＤ７を第２の記録媒体としての携帯型外部メモリ６に記録するための形式に変換し、これを外部メモリ記録データＤ１１として携帯型外部メモリ６に記録する。
【００２９】
なおカムコーダ１は、携帯型外部メモリ６に外部メモリ記録データＤ１１を記録したときも、ビデオテープ１４に対してビデオ記録データＤ７のディジタル記録処理を続行している。
【００３０】
従って携帯型外部メモリ６に記録された外部メモリ記録データＤ１１は、ビデオテープ１４にディジタル記録されたビデオ記録データＤ７のうちシャッタスイッチ８が押下されたタイミングの画像データＤ２、位置データＤ３及び属性データＤ６と一致することになる。
【００３１】
ここで図５に示すように、携帯型外部メモリ６に外部メモリ記録データＤ１１を記録するときのメモリマップとしては、０番地からｋ番地にかけて属性データＤ６が記録され、（ｋ＋１）番地からｌ番地にかけて位置データＤ３が記録され、（ｌ＋１）番地からｍ番地にかけて音声データが記録され、（ｍ＋１）番地からｎ番地にかけて画像データＤ２が記録されるようになされている。
【００３２】
従ってカムコーダ１は、シャッタスイッチ８の押下に応じて次の外部メモリ記録データＤ１１を携帯型外部メモリ６に記録するときには、（ｎ＋１）番地以降の領域が用いられ、順次シャッタスイッチ８の押下に応じて外部メモリ記録データＤ１１を携帯型外部メモリ６に記録するようになされている。
【００３３】
因みにカムコーダ１は、第２の再生手段としての外部メモリ記録再生回路１７によって携帯型外部メモリ６に記録された外部メモリ記録データＤ１１を再生し、これを外部メモリ再生データＤ１２としてビデオ再生回路１５及びビデオ回路１１を介して表示部１６に出力することにより、当該表示部１６に携帯型外部メモリ６から再生した再生画像を表示することもできる。
【００３４】
次にカムコーダ１において、ビデオテープ１４にビデオ記録データＤ７を記録中、撮影者によるシャッタスイッチ８の押下操作に応じて、その瞬間の静止画像である画像データＤ２、位置データＤ３及び属性データＤ６を外部メモリ記録データＤ１１として携帯型外部メモリ６に記録するときの処理手順について、図６のフローチャートを用いて説明する。
【００３５】
カムコーダ１は、ルーチンＲＴ１の開始ステップから入ってステップＳＰ１に移る。ステップＳＰ１においてカムコーダ１のＣＰＵは、撮影者による撮影ボタン（図示せず）の押下操作に応じてビデオテープ１４に対するビデオ記録データＤ７の記録処理を開始し、次のステップＳＰ２に移る。
【００３６】
ステップＳＰ２においてＣＰＵは、ビデオテープ１４にビデオ記録データＤ７を記録中、撮影者によってシャッタスイッチ８が押下操作されたか否かを、シャッタスイッチ８から外部メモリ記録再生回路１７に与えられる記録命令Ｓ１０の有無に基づいて判定する。
【００３７】
ここで否定結果が得られると、このことはシャッタスイッチ８が押下操作されていないことを表しており、このときＣＰＵはシャッタスイッチ８が押下操作されるまで待ち受ける。
【００３８】
これに対してステップＳＰ２で肯定結果が得られると、このことは撮影者が撮影中に所望のタイミングでシャッタスイッチ８を押下操作したことを表しており、このときＣＰＵは次のステップＳＰ３に移る。
【００３９】
ステップＳＰ３においてＣＰＵは、シャッタスイッチ８が押下されたタイミングのビデオ記録データＤ７を加算回路１２から外部メモリ記録再生回路１７に取り込み、当該外部メモリ記録再生回路１７でビデオ記録データＤ７を携帯型外部メモリ６に記録するための形式に変換し、これを外部メモリ記録データＤ１１として携帯型外部メモリ６に記録し、ステップＳＰ２に戻って上述の処理を繰り返す。
【００４０】
これによりカムコーダ１は、ビデオテープ１４にビデオ記録データＤ７を記録中、撮影者によってシャッタスイッチ８が押下操作される度に、そのタイミングの静止画像を表す画像データＤ２、そのときの撮影場所を示す位置データＤ３、及び属性データＤ６（撮影状態データＤ４、日時、タイムコード及びテープＩＤ等の付加データＤ５）を携帯型外部メモリ６に順次記録することができる。
【００４１】
かくして携帯型外部メモリ６は、ビデオテープ１４に記録されるビデオ記録データＤ７のうちシャッタスイッチ８が押下操作されたタイミングのデータが外部メモリ記録データＤ１１として同時に記録されることになるので、何時何処でどのような画像が記録されたかを知らしめるためのテープインデックスとして用いられることが可能となり、ビデオテープ１４の編集作業を容易に実行するためのツールとなる。
【００４２】
続いてカムコーダ１において、ビデオ記録データＤ７が記録されたビデオテープ１４を再生し、その再生画像をビューファインダでなる表示部１６で確認しながらユーザが所望のタイミングでシャッタスイッチ８を押下操作することにより、その瞬間の静止画像である画像データＤ２、位置データＤ３及び属性データＤ６を外部メモリ記録データＤ１１として携帯型外部メモリ６に記録するときの処理手順について、図７のフローチャートを用いて説明する。
【００４３】
カムコーダ１は、ルーチンＲＴ２の開始ステップから入ってステップＳＰ１１に移る。ステップＳＰ１１においてカムコーダ１のＣＰＵは、ユーザによる再生ボタン（図示せず）の押下操作に応じてビデオ記録データＤ７が記録されたビデオテープ１４をビデオ再生回路１５で再生し、その再生画像を表示部１６を介してユーザに確認させて、次のステップＳＰ１２に移る。
【００４４】
ステップＳＰ１２においてＣＰＵは、ビデオテープ１４を再生中、再生画像を確認中のユーザによってシャッタスイッチ８が押下操作されたか否かを判定する。
【００４５】
ここで否定結果が得られると、このことはシャッタスイッチ８が押下操作されていないことを表しており、このときＣＰＵはシャッタスイッチ８が押下操作されるまで待ち受ける。
【００４６】
これに対してステップＳＰ１２で肯定結果が得られると、このことは再生画像を確認中のユーザが所望のタイミングでシャッタスイッチ８を押下操作したことを表しており、このときＣＰＵは次のステップＳＰ１３に移る。
【００４７】
ステップＳＰ１３においてＣＰＵは、ビデオテープ１４を再生中、シャッタスイッチ８が押下されたタイミングのビデオ再生データＤ８をビデオ再生回路１５から外部メモリ記録再生回路１７に取り込み、当該外部メモリ記録再生回路１７でビデオ再生データＤ８を携帯型外部メモリ６に記録するための形式に変換し、これを外部メモリ記録データＤ１１として携帯型外部メモリ６に記録し、ステップＳＰ１２に戻って上述の処理を繰り返す。
【００４８】
これによりカムコーダ１は、ビデオテープ１４を再生中、撮影者によってシャッタスイッチ８が押下操作される度に、そのタイミングの静止画像を表す画像データＤ２、そのときの撮影場所を示す位置データＤ３、及び属性データＤ６（撮影状態データＤ４、日時、タイムコード及びテープＩＤ等の付加データＤ５）を携帯型外部メモリ６に順次記録することができる。
【００４９】
これによりカムコーダ１は、ビデオテープ１４の再生画像を確認中のユーザによってシャッタスイッチ８が押下操作される度に、そのタイミングの静止画像を表す画像データＤ２、そのときの撮影場所を示す位置データＤ３、及び属性データＤ６（撮影状態データＤ４、日時、タイムコード及びテープＩＤ等の付加データＤ５）を携帯型外部メモリ６に順次記録することができる。
【００５０】
かくして携帯型外部メモリ６は、ビデオテープ１４に記録されているビデオ記録データＤ７のうちシャッタスイッチ８が押下操作されたタイミングのデータが外部メモリ記録データＤ１１として記録されることになるので、この場合にも後程ビデオテープ１４の編集作業を容易に実行させるためのテープインデックスとして携帯型外部メモリ６を用いることが可能となる。
【００５１】
以上の構成において、カムコーダ１は画像データＤ２、位置データＤ３及び属性データＤ６をビデオ記録データＤ７としてビデオテープ１４に記録する一方で、シャッタスイッチ８の押下操作されたタイミングでビデオ記録データＤ７を取り込み、これを外部メモリ記録データＤ１１として携帯型外部メモリ６に記録することにより、当該携帯型外部メモリ６の外部メモリ記録データＤ１１とビデオテープ１４のビデオ記録データＤ７とをシャッタスイッチ８が押下操作されたタイミングで連携させることができる。
【００５２】
これによりカムコーダ１は、携帯型外部メモリ６を再生して表示部１６にインデックス画像として表示することにより、ビデオテープ１４を再生することなくビデオテープ１４に収録された画像や、テープＩＤ、撮影場所、日時やタイムコード並びに撮影方向及び撮影角度等をユーザに対して短時間でかつ容易に認識させることができる。
【００５３】
またカムコーダ１は、シャッタスイッチ８の押下操作されたタイミングで撮影された静止画像、撮影場所や撮影状態及びテープＩＤを携帯型外部メモリ６に順次記録することにより、当該携帯型外部メモリ６をテープインデックスとして使用することができ、この結果撮影場所や撮影状況をビデオテープのラベルに書き残しておくような煩雑で面倒な操作をユーザに強いることを防止できる。
【００５４】
さらにカムコーダ１においては、携帯型外部メモリ６が本体部２から着脱自在に設けられていることにより、携帯型外部メモリ６を取り外し、当該携帯型外部メモリ６を再生し得るようになされたパーソナルコンピュータやビデオカメラ及びナビゲーションシステム等の他の機器に挿着することができるので、他の機器によってもビデオテープ１４に記録されたビデオ記録データＤ７の内容をユーザに対して短時間でかつ容易に認識させることができる。
【００５５】
すなわち携帯型外部メモリ６は、着脱自在に設けられていることにより、カムコーダ１と他の機器との間のデータの受渡手段として用いることができ、その結果、伝送ケーブル等を介して他の機器に対してデータ伝送する必要がないので、伝送路上での伝送誤りを確実に防止し得ると共に、カムコーダ１と他の機器との間で容易にデータの共有化を図ることができる。
【００５６】
以上の構成によれば、カムコーダ１はビデオ記録データＤ７をビデオテープ１４に記録する一方で、シャッタスイッチ８の押下操作されたタイミングでビデオ記録データＤ７を取り込み、これを外部メモリ記録データＤ１１として携帯型外部メモリ６に記録することにより、当該携帯型外部メモリ６をテープインデックスとして使用することができる。
【００５７】
これによりユーザは、カムコーダ１又は他の機器で携帯型外部メモリ６を再生してその内容を確認すれば、ビデオテープ１４を再生することなくビデオテープ１４に記録された画像や撮影場所等の情報を短時間で容易に認識することができる。
【００５８】
なお上述の実施の形態においては、第２の記録媒体として携帯型外部メモリ６を用いるようにした場合について述べたが、本発明はこれに限らず、ランダムアクセス可能なものであれば、例えばＩＣメモリやＣＤ−Ｒ(Compact Disc Recordable) 等を用いるようにしても良い。この場合にも、上述の実施の形態と同様の効果を得ることができる。
【００５９】
また上述の実施の形態においては、第１の記録媒体としてビデオテープ１４をを用いるようにした場合について述べたが、本発明はこれに限らず、ＤＶＤ−ＲＷ(Digital Video Disc-Re Writable)等の光磁気ディスクを用いるようにしても良い。
【００６０】
さらに上述の実施の形態においては、タイミング指定手段としてのシャッタスイッチ８が押下操作されたタイミングの画像データＤ２を静止画像として携帯型外部メモリ６に記録するようにした場合について述べたが、本発明はこれに限らず、シャッタスイッチ８が押下操作されている間の複数フレーム分の画像データＤ２を動画像として携帯型外部メモリ６に記録するようにしても良い。
【００６１】
さらに上述の実施の形態においては、シャッタスイッチ８が所望のタイミングで押下操作されたときの画像データＤ２を携帯型外部メモリ６に記録するようにした場合について述べたが、本発明はこれに限らず、予め所定の時間間隔毎に画像データＤ２を携帯型外部メモリ６に記録するようにしても良い。
【００６２】
さらに上述の実施の形態においては、属性データＤ６として撮影状態データＤ４及び日時、タイムコード、テープＩＤ等の付加データＤ５を携帯型外部メモリ６に記録するようにした場合について述べたが、本発明はこれに限らず、属性データＤ６として画像データＤ２を特定するショットナンバや静止画番号を必要に応じて付け加えるようにしても良い。
【００６３】
【発明の効果】
上述のように本発明によれば、撮像手段を介して供給された動画像データと、測位手段を介して検出された撮影場所の位置データとを第１の記録媒体に対して記録し、動画像データを第１の記録媒体に記録中、シャッタスイッチが押下操作されたとき、当該押下操作されたときのタイミングに相当する動画像データの構成要素である静止画像データとタイミングで得られる位置データとを着脱自在に設けられた第２の記録媒体に対して記録し、第１の記録媒体に記録された動画像データを再生する再生手段とを具え、第２記録手段は、再生手段による動画像データの再生中に、シャッタスイッチが押下操作されたとき、当該押下操作されたときのタイミングに相当する静止画像データと共に、タイミングで得られる位置データを第２の記録媒体に対して記録することにより、動画像の記録中にシャッタスイッチの押下操作が行なわれたときや、第１の記録媒体に記録された動画像の再生中、ユーザが希望するシーンで再度シャッタスイッチが押下操作されたときに、そのときの静止画像データ及び位置データを第２の記録媒体に記録することができるので、当該第２の記録媒体に記録された静止画像データを再生したとき、静止画像を動画像のインデックスとして用いることが出来ると共に、位置データに基づく動画像の撮影場所についても提供し得る撮像装置及び撮像方法を実現することができる。
【図面の簡単な説明】
【図１】本発明によるカムコーダの構成を示す略線的外観図である。
【図２】カムコーダの回路構成を示すブロック図である。
【図３】ビデオテープのテープトラックパターンを示す略線図である。
【図４】位置データの分割記録の説明に供する略線図である。
【図５】携帯型外部メモリのメモリマップを示す略線図である。
【図６】撮影中の携帯型外部メモリに対する記録処理手順を示すフローチャートである。
【図７】再生中の携帯型外部メモリに対する記録処理手順を示すフローチャートである。
【符号の説明】
１……カムコーダ、２……本体部、３……カメラ部、４……ＧＰＳ受信機、５……ジャイロセンサ、６……携帯型外部メモリ、８……シャッタスイッチ、１０……ビデオ信号処理部、１１……ビデオ回路、１２……加算回路、１３……ビデオ記録回路、１４……ビデオテープ、１５……ビデオ再生回路、１６……表示部、１７……外部メモリ記録再生回路。
【図１】
0004171954.tif 000002
【図３】
0004171954.tif 000003
【図２】
0004171954.tif 000004
【図４】
0004171954.tif 000005
【図５】
0004171954.tif 000006
【図６】
0004171954.tif 000007
【図７】
0004171954.tif 000008